(57)【要約】【課題】読み取り不能等で未登録カードとして確認されたカードを管理してセキュリティを向上するカード管理機を提供する。【解決手段】返却カードの磁気情報が壊れている等の原因によりカードの読み取り不良が発生した場合や、又はあらかじめカード管理機１に登録済みのカードではないカードを挿入した場合は、カード投入口５に投入された返却カードは未登録カードと判定される。制御装置は、記録している空きカードスタッカの番号を取得して空きカードスタッカが存在するか否かを判定する（ステップＳ９）。空きカードスタッカが存在すると判定された場合は、制御装置は、カードスタッカ１０のうち、空きカードスタッカの一つを選択する（ステップＳ１０）。そして、未登録カードを空きカードスタッカに収容して一時保管し、読み取り不良の発生した未登録カードを空きカードスタッカに収容したことを記録する（ステップＳ１２）。【選択図】図４ａ
2016048436.tif 000002
【特許請求の範囲】
【請求項１】
カード読取部と、
複数のカードスタッカと、
制御装置と
を備え、
前記カードスタッカにカードを収容し、前記カードスタッカに収容された前記カードを排出することにより、前記カードの貸出し及び前記カードの返却を行うカード管理機であって、
前記カード読取部にて前記カードから読取ったカード情報が、前記制御装置にあらかじめ登録されている登録済のカードのカード情報と一致しない場合、前記カードスタッカのうち空きカードスタッカがあることを確認し、前記空きカードスタッカがある場合は前記空きカードスタッカに前記カードを収容して一時保管するカード管理機。
【請求項２】
前記空きカードスタッカが無い場合は、前記カードの貸出し及び前記カードの返却の動作を停止し、前記カードは前記カード読取部を備えるカードリーダ内に保持して一時保管する請求項１に記載のカード管理機。
【請求項３】
前記カード管理機を操作する操作部を備え、前記操作部の制御により、一時保管されている前記カードを排出する請求項１又は２に記載のカード管理機。
【発明の詳細な説明】
【技術分野】
【０００１】
この発明は、カードスタッカを備えるカード管理機に関する。
【背景技術】
【０００２】
コンピュータルームや金庫室等、入退室にあたりセキュリティ管理が必要な場所や、コンピュータや工作機械等の使用にあたりセキュリティ管理が必要な機器において、本人を識別、確認するための、磁気カード、ＩＣカード、光カード等を利用したＩＤ(ｉｄｅｎｔｉｆｉｃａｔｉｏｎ)カードを管理するとともに、内部にＩＤカードを保管することのできるカード管理機が知られている。
【０００３】
特許文献１には、ＩＤカード等のカードが保有する情報を登録し、カードの収容部に登録済みのカード（登録済カード）を保管することのできるカード管理機が記載されている。このカード管理機は、カードを一枚ずつ収容することのできるカードスタッカが複数設けられたカードホルダを備えている。カードを収容する際は、ユーザがカードをカード投入口へ投入すると、カード位置検知センサがカードの挿入を検出して、カード搬送手段がカードをカードリーダまで搬送する。カードリーダがカードの番号を読み取ってカードが登録済であるか否かを確認し、カードが登録済カードであれば、カードの登録時に割り当てられたカードスタッカにカードを収容できるように、カードスタッカがカード搬送手段の直下に位置するようにカードホルダの移動手段によりカードホルダを移動する。そして、カード搬送手段がカードリーダからカードスタッカにカードを搬送して収容する。また、カードが未登録カードであれば、カード搬送手段がカードをカード投入口へ搬送して排出する。
【先行技術文献】
【特許文献】
【０００４】
【特許文献１】特開平９−２１８９２５号公報
【発明の概要】
【発明が解決しようとする課題】
【０００５】
しかしながら、特許文献１に記載のカード管理機にユーザが登録済カードを保管する際に、一時的なカードの読み取り不能が発生した等の理由でカードが登録済カードとして確認されない場合が考えられる。この場合、読み取り不能カードは未登録カードとして確認され、カード投入口より排出されるが、ユーザはカードが登録済カードとしてカード管理機に収容されることを確信しているため、カードの排出を待たずにカード管理機の傍から立ち去ってしまう可能性がある。すると、カードがカード投入口から排出された状態で放置されるため、カードを本来所持すべきでない人物にカードを持ち去られてしまう等、セキュリティ上の問題が発生する可能性がある。
【０００６】
この発明はこのような問題を解決するためになされたものであり、読み取り不能等で未登録カードとして確認されたカードを管理してセキュリティを向上するカード管理機を提供することを目的とする。
【課題を解決するための手段】
【０００７】
この発明に係るカード管理機は、カード読取部と、複数のカードスタッカと、制御装置とを備え、カードスタッカにカードを収容し、カードスタッカに収容されたカードを排出することにより、カードの貸出し及びカードの返却を行うカード管理機であって、カード読取部にてカードから読取ったカード情報が、制御装置にあらかじめ登録されている登録済のカードのカード情報と一致しない場合、カードスタッカのうち空きカードスタッカがあることを確認し、空きカードスタッカがある場合は空きカードスタッカにカードを収容して一時保管する。
空きカードスタッカが無い場合は、カードの貸出し及びカードの返却の動作を停止し、カードはカード読取部を備えるカードリーダ内に保持して一時保管してもよい。
カード管理機を操作する操作部を備え、操作部の制御により、一時保管されているカードを排出してもよい。
【発明の効果】
【０００８】
この発明によれば、カード読み取り部でのカード情報の読み取り結果が、制御装置にあらかじめ登録されている登録済のカードのカード情報と一致しない場合、カードスタッカのうち空きカードスタッカがあることを確認し、空きカードスタッカがある場合は空きカードスタッカにカードを収納して一時保管することで、読み取り不能等で未登録カードとして確認されたカードを管理してセキュリティを向上することができる。
【図面の簡単な説明】
【０００９】
【図１】この発明の実施の形態１に係るカード管理機の概略図である。
【図２】この発明の実施の形態１に係るカード管理機の内部の概略図である。
【図３】この発明の実施の形態１に係るカード管理機に設けられたカードリーダの内部の上面概略図である。
【図４ａ】この発明の実施の形態１に係るカード管理機の動作のフローチャートである。
【図４ｂ】この発明の実施の形態１に係るカード管理機の動作のフローチャートである。
【図５】この発明の実施の形態２に係るカード管理機に設けられたカードリーダの内部の上面概略図である。
【図６】この発明の実施の形態２に係るカード管理機の動作のフローチャートである。
【発明を実施するための形態】
【００１０】
以下、この発明の実施の形態を添付図面に基づいて説明する。
実施の形態１
この発明の実施の形態１に係るカード管理機を図１に示す。カード管理機１は、磁気カードである一つ以上のカードを管理するために、例えば卓上に設置して使用するカード管理機である。カード管理機１の筐体は底面から略垂直に上方に延びる４つの側面を有している。それら４つの側面の１つである前面部４の上端縁から筐体の天面に向かって傾斜するように前面上部２が設けられている。前面上部２には、カード管理機１の操作部であるＬＣＤパネル３が設けられている。カード管理機１の前面上部２の下方に設けられた前面部４には、カードを投入するためのスリット状のカード投入口５が設けられている。カード管理機１の前面部４の下方に設けられた前面下端部６には、カード管理機１の電源の入／切を切り替える電源スイッチ７が設けられている。カード管理機１の内部には、カード管理機の各部を制御する図示しない制御装置が設けられている。
【００１１】
図２に示すように、カード投入口５にはカードリーダ８が接続されている。図３に示すように、カードリーダ８には、カードの磁気情報を読み取るカード読取部１３が設けられている。また、カードが存在することを検出する二つのカード検出センサ１４が、カードリーダ８においてカード挿入方向に関して互いに間隔を開けて設けられている。さらに、カードを搬送する二つのカード搬送部１５が、カードリーダ８においてカード挿入方向に関して互いに間隔を開けて設けられている。また、図２に示すように、カード管理機１の筐体内部の後方には円柱状のカードホルダ９が設けられている。カードホルダ９の円柱の側面にあたる部分には、複数のカードスタッカ１０が円柱の半径方向外側に向かって開口するように設けられている。カードスタッカ１０は、その内側の寸法がカードを収容可能な寸法となるように設けられており、各カードスタッカに他のカードスタッカ１０とは異なる番号があらかじめ設定され制御装置に記録されている。カードホルダ９は円柱中心部のハブ１１を中心に回転可能であり、ハブ１１が駆動ベルト１２を介してカード管理機１に設けられた図示しない駆動モータと接続され、駆動モータが回転するとハブ１１が回転するように構成されている。
【００１２】
次に、この実施の形態１に係るカード管理機の動作について説明する。
図２に示すように、カード管理機１は、保管しているカードを適宜カード投入口５から排出してユーザに貸出し、またユーザがカード投入口５に投入して返却したカードを保管することでカードの管理を行う。カード管理機１のカードホルダ９は複数のカードスタッカ１０を備えているので、カード管理機１に複数のカードを収容する時は、あらかじめ複数のカードスタッカ１０と複数のカードとの間で、ある特定のカードスタッカ１０が収容するある特定のカードを決定しておく必要がある。管理者権限を有するユーザ（管理者）がカード投入口５にカードを投入して、ＬＣＤパネル３に対して管理者専用のカード登録操作をすることにより、カード管理機１の制御装置が、現在使用していない複数のカードスタッカ１０の中から、カードを収容する特定のカードスタッカ１０の番号を決定し、カードの磁気情報及び特定のカードスタッカ１０の番号をカードの登録情報として記録する。この登録操作を、カード管理機１で管理するカードに対して実施しておく。これにより、カード管理機１は、ユーザから返却された登録済みのカードを収容すべきカードスタッカ１０の番号を記録することになる。また、収容するカードが決定していない、つまり現在使用していないカードスタッカ１０は、空きカードスタッカとしてその番号が制御装置に記録されている。
【００１３】
次に、カード管理機１にカードを返却する時の動作を図４ａ及び図４ｂのフローチャートを用いて説明する。ユーザが電源スイッチ７を「入」にすることで、カード管理機１が起動し、自動的にユーザからの操作を待つ待機状態となる（ステップＳ１）。この時、ＬＥＤパネル３では、後述する一時保管カードがないことを表示している。カードリーダ８は、カード検出センサ１４にてカードを検出したか否かを判定する（ステップＳ２）。カードが検出されない場合はステップＳ１の動作に戻る。管理者権限を持たないユーザ（一般ユーザ）がカード管理機１に返却しようとするカードである返却カードを、待機状態のカード管理機１のカード投入口５に投入すると、ステップＳ２においてカードリーダ８がカード検出センサ１４により返却カードの存在を検出する。返却カードを検出後は、カード搬送部１５により返却カードをカード読取部１３の位置まで搬送し、カード読取部１３により返却カードの磁気情報を読み取り、返却カードの磁気情報を制御装置に送る。（ステップＳ３）。
【００１４】
制御装置では、返却カードの磁気情報と、あらかじめ制御装置に記録されているカードの登録情報とを照合し、返却カードがカード管理機１に登録済みのカードであるか否かを判定する（ステップＳ４）。
【００１５】
返却カードがカード管理機１に登録済みのカードであると判定された場合は、制御装置は、返却カードの登録情報に記録されている、返却カードを収容するカードスタッカ１０（図２参照）の番号を取得する（ステップＳ５）。さらに制御装置は、カード搬送部１５がその番号のカードスタッカ１０へ返却カードを収容可能となるように、駆動モータを駆動して駆動ベルト１２（図２参照）を介してハブ１１（図２参照）を回転させることで、カードホルダ９（図２参照）を回転させ、カードスタッカ１０の位置を調整する（ステップＳ６）。さらに、カード搬送部１５が返却カードをカードスタッカ１０へ搬送することで、登録情報に記録された番号を持つカードスタッカ１０に返却カードを収容し、返却カードをカードスタッカ１０に収容したことを記録する（ステップＳ７）。これにより、返却カードをカード管理機１の内部に保管できる。次に、制御装置はカード管理機１をカード収容完了後の待機状態にする（ステップＳ８）。
【００１６】
一方、ステップＳ４において返却カードの磁気情報が壊れている等の原因によりカードの読み取り不良が発生した場合や、又はあらかじめカード管理機１に登録済みのカードではないカードを挿入した場合は、カード投入口５に投入された返却カードは未登録カードと判定される。したがって、以下のステップでは読み取り不良のカードと登録済みのカードでないカードとを未登録カードとする。制御装置は、記録している空きカードスタッカの番号を取得して空きカードスタッカが存在するか否かを判定する（ステップＳ９）。
【００１７】
空きカードスタッカが存在すると判定された場合は、制御装置は、カードスタッカ１０のうち、空きカードスタッカの一つを選択する（ステップＳ１０）。そして、制御装置は、カード搬送部１５が空きカードスタッカへ未登録カードを収容可能となるように、駆動モータを駆動して、駆動ベルト１２を介してハブ１１を回転させることでカードホルダ９を回転させ、空きカードスタッカの位置を調整する（ステップＳ１１）。さらに、カード搬送部が未登録カードを空きカードスタッカへ搬送することで、未登録カードを空きカードスタッカに収容して一時保管し、読み取り不良の発生した未登録カードを空きカードスタッカに収容したことを記録する（ステップＳ１２）。これにより、未登録カードをカード管理機１の内部に一時保管できる。未登録カードを空きカードスタッカに収容している場合は、制御装置は、ＬＣＤパネル３（図２参照）に、未登録カードを空きカードスタッカに収容したことを知らせるエラー表示をし（ステップＳ１３）、ステップＳ８の動作に移行する。
【００１８】
ステップＳ８の動作の次に、制御装置は、一枚以上の未登録カードが空きカードスタッカに収容されており、且つ管理者がＬＣＤパネル３に対して管理者専用のエラー対応処理操作を行ったか否かを判定する（ステップＳ１４）。一枚以上の未登録カードが空きカードスタッカに収容されており、且つ管理者がＬＣＤパネル３に対して管理者専用のエラー対応処理操作を行った場合は、未登録カードはカード搬送部１５により搬送されてカード投入口５から排出され、管理者が未登録カードを回収することができる。全ての一時保管されている未登録カードが排出されたら、ＬＣＤパネル３は、一時保管されているカードが無いことを表示する（ステップＳ１５）。次に、制御装置はカード管理機１を待機状態とする（ステップＳ１６）。ステップＳ１４において、一枚以上の未登録カードが空きカードスタッカに収容されており且つ管理者が、ＬＣＤパネル３に対して管理者専用のエラー対応処理操作を行っていない場合は、ステップＳ１６に移行する。
【００１９】
ステップＳ１６の待機状態の後、ユーザが他の返却カードをカード投入口５に投入したか否かを判定するため、カードリーダ８は、カード検出センサ１４にてカードを検出したか否かを判定する（ステップＳ１７）。カードが検出された場合はステップＳ３に移行する。カードが検出されない場合にはステップＳ１４に移行する。ステップＳ１０からステップＳ１７までの動作により、カード管理機１に投入されたカードが未登録カードと判定された場合に、空きカードスタッカが存在すれば空きカードスタッカに未登録カードを収容することで、カード管理機１がカードの貸出及びカードの返却のカード管理動作を継続しつつ未登録カードをカード管理機１内に一時保管するので利便性とセキュリティを両立できる。
【００２０】
一方、ステップＳ９にて空きカードスタッカが存在しないと判定された場合は、カードスタッカ１０に未登録カードを収容することができないので、制御装置は、未登録カードをカードリーダ８に保持して一時保管したまま、以降のカード管理機１によるカードの貸出し及びカードの返却を停止し、ＬＣＤパネル３に未登録カードの収容によりカードの貸出し及び返却を停止したことを知らせるエラー表示をする（ステップＳ１８）。その後、制御装置は、管理者がＬＣＤパネル３に対して管理者専用のエラー対応処理操作を行ったか否かを判定する（ステップＳ１９）。管理者がＬＣＤパネル３に対して管理者専用のエラー対応処理操作を行った場合は、未登録カードはカード搬送部１５により搬送されてカード投入口５から排出され、管理者が未登録カードを回収することができ、ＬＣＤパネル３のエラー表示が解除されて、ＬＣＤパネル３には、一時保管されているカードが無いことが表示される（ステップＳ２０）。その後、ステップＳ３に移行し、ステップＳ３から動作を繰り返す。ステップＳ１９において、管理者がＬＣＤパネル３に対して管理者専用のエラー対応処理操作を行っていない場合は、ステップＳ１８に戻る。ステップＳ１０からステップＳ２０までの動作により、カード投入口５に投入されたカードが未登録カードと判定され、空きカードスタッカが存在しない場合でも、未登録カードをカード管理機１内に保持するのでセキュリティを確保できる。
【００２１】
このように、カードリーダ８のカード読取部１３でのカード情報の読み取り結果が、制御装置にあらかじめ登録されている登録済のカードのカード情報と一致しない場合、カードスタッカ１０のうち空きカードスタッカがあることを確認し、空きカードスタッカがある場合は空きカードスタッカに未登録カードを収納して一時保管することで、読み取り不能等で未登録カードとして確認されたカードを管理してセキュリティを向上することができる。
【００２２】
実施の形態２
次に、この発明の実施の形態２に係る回転電機の駆動装置を説明する。尚、実施の形態２において、図１〜図４の参照符号と同一の符号は、同一または同様な構成要素であるので、その詳細な説明は省略する。
この発明の実施の形態２に係るカード管理機は、実施の形態１に対して、カードリーダにカード読取部を二つ設けたものである。
【００２３】
図５に示すように、実施の形態２に係るカード管理機１のカードリーダ８’には、カード読取部１３と、カード読取部１３に対してカード挿入方向に間隔を開けて設けられた第２のカード読取部１６とを備えている。したがって、カードリーダ８’はカードがカード投入口５から搬送されていく間に、カード読取部１３と第２のカード読取部１６とでカード情報を読み取ることができる。その他の構成は実施の形態１と同じである。
【００２４】
次に、実施の形態２に係るカード管理機１の動作を説明する。図６に示すように、ステップＳ２までの動作は実施の形態１と同じである。その後、実施の形態１と同様に、カードリーダ８がカード検出センサ１４にてカードを検出しない場合はステップＳ１に戻る。カードリーダ８がカード検出センサ１４にてカードを検出した場合は、カード搬送部１５により返却カードをカード読取部１３の位置まで搬送し、カードリーダ８がカード読取部１３にて返却カードの磁気情報を読み取り、返却カードの磁気情報を制御装置に送る（ステップＳ３ａ）。続いて、カードリーダ８は、カード搬送部１５により第２のカード読取部１６の位置までカードを搬送し、第２のカード読取部１６にて返却カードの磁気情報を読み取り、返却カードの磁気情報を制御装置に送る（ステップＳ３ｂ）。制御装置は、カード読取部１３が読み取った磁気情報と、第２のカード読取部１６が読み取った磁気情報とが一致するか否かを判定する（ステップＳ２１）。カード読取部１３が読み取った磁気情報と、第２のカード読取部１６が読み取った磁気情報とが一致する場合は、ステップＳ４の動作を実施する。ステップＳ４において返却カードが登録済みのカードと判定された場合はステップＳ５からステップＳ１４までの動作を実施する。ステップＳ４において返却カードが未登録カードと判定された場合は、投入されたカードの磁気データが正しく読み取れて且つ投入されたカードが未登録カードであるということなので、未登録カードの一時保管と、以降のカード管理機１によるカードの貸出し及びカードの返却の停止を行うために、カード管理機１でのステップＳ１８からステップＳ２０の動作を実施する。ステップＳ２０以降の動作は実施の形態１と同じである。
【００２５】
ステップＳ２１において、カード読取部１３が読み取った磁気情報と、第２のカード読取部１６が読み取った磁気情報とが一致しなかった場合は、カードの読み取り不良等が発生したものと考えられる。この場合、制御装置はステップＳ９の動作を実施する。ステップＳ９において、カードスタッカ１０の中に空きスタッカが存在する場合は、ステップＳ１０からステップＳ１４までの動作を実施する。これにより、カード貸出及びカード返却のカード管理動作を継続しつつ読み取り不良カードをカード管理機１内に一時保管することができる。一方、ステップＳ９において、カードスタッカ１０の中に空きスタッカが存在しない場合は、ステップＳ１８からステップＳ２０の動作を実施する。ステップＳ２０以降の動作は実施の形態１と同じである。
【００２６】
ステップＳ１４において、一枚以上の未登録カードが空きカードスタッカに収容されており、且つ管理者がＬＣＤパネル３に対して管理者専用のエラー対応処理操作を行った場合は、ステップＳ１５からステップＳ１７までの動作を実施する。一枚以上の未登録カードが空きカードスタッカに収容されており且つ管理者が、ＬＣＤパネル３に対して管理者専用のエラー対応処理操作を行っていない場合は、ステップＳ１６からステップＳ１７までの動作を実施する。ステップＳ１７以降の動作は実施の形態１と同じである。
【００２７】
このように、カードリーダ８に二つのカード読取部であるカード読取部１３と第２のカード読取部１６とを設け、カード読取部１３と第２のカード読取部１６との読み取ったカードの磁気情報を照合し、カード読取部１３と第２のカード読取部１６との読み取ったカードの磁気情報が一致しない場合は読み取り不良カードに対する処理を行い、カード読取部１３と第２のカード読取部１６との読み取ったカードの磁気情報が一致し且つ磁気情報からカードが未登録カードであると判定された場合は未登録カードに対する処理を行うことで、読み取り不良等で未登録カードとして確認されたカードを管理してセキュリティを向上することができる。
【００２８】
実施の形態２においては、カードリーダ８にカード読取部が二つ設けられていたが、カード読取部を三つ以上設けてもよい。その場合は、各カード読取部の読み取ったカードの磁気情報を照合し、全てのカード読取部の読み取ったカードの磁気情報が一致しない場合は読み取り不良カードに対する処理を行い、全てのカード読取部で読み取ったカードの磁気情報が一致し且つ磁気情報からカードが未登録カードであると判定された場合は未登録カードに対する処理を行う。
【００２９】
実施の形態１及び２のステップＳ１２からステップＳ１３では、カード管理機１は、未登録カードを空きカードスタッカに収容して一時保管し、未登録カードを空きカードスタッカに収容したことを知らせるエラー表示をしてカード貸出及びカード返却のカード管理動作を継続しており、又、ステップＳ１８からステップＳ２０では、カード管理機１は、未登録カードをカードリーダ８に保持して一時保管したまま、以降のカード管理機１によるカードの貸出し及びカードの返却を停止し、その後、制御装置にて管理者がＬＣＤパネル３に対して管理者専用のエラー対応処理操作を行った否かを判定し、管理者がＬＣＤパネル３に対して管理者専用のエラー対応処理操作を行った場合は、未登録カードはカード搬送部により搬送されてカード投入口５から排出する動作を実施していたが、上記のカードの一時保管の動作は、管理者がカード管理機１の設定を行うことで変更することが可能でもよい。例えば、ステップＳ１３にて以降のカード管理機１によるカードの貸出し及びカードの返却を停止する設定とすることや、ステップＳ１９にて管理者が未登録カードの登録作業を実施することができる設定とすることが可能でもよい。
【００３０】
実施の形態１及び２のカードホルダ９は、ハブ１１を中心に回転可能な円柱状であったが、複数のカードスタッカ１０を備えていればこの形状に限定されない。例えば、水平方向に延びる直方体状のカードホルダに、その上面に開口するように複数のカードスタッカを設け、カードホルダがモータの動力により水平方向に移動することで複数のカードスタッカにカードを収容することのできる構成であってもよい。
【００３１】
実施の形態１及び２のカードリーダ８は、カードの磁気情報を読み取るカード読取部を備え、登録済カードとして磁気カードを使用していたが、他の手段で情報を保持するカードを使用し、そのカードを読み取るカード読取部を備えてもよい。例えば、ＩＣカードを登録済カードとして使用しカード読取部をＩＣチップ読み取り機としてもよい。また、これらのカードの情報を保持する手段とカード読取部との組み合わせを複数組み合わせて使用してもよい。
【符号の説明】
【００３２】
１  カード管理機、３  ＬＣＤパネル（操作部）、８  カードリーダ、１０、カードスタッカ、１３  カード読取部、１６  第２のカード読取部（カード読取部）。
【図１】
2016048436.tif 000003
【図２】
2016048436.tif 000004
【図３】
2016048436.tif 000005
【図４ａ】
2016048436.tif 000006
【図４ｂ】
2016048436.tif 000007
【図５】
2016048436.tif 000008
【図６】
2016048436.tif 000009